(57)【要約】【課題】光源ユニットを器具本体に取り付ける際の作業性を向上する構造を有する照明器具であって、光源ユニットを器具本体に容易に着脱可能な照明器具を提供することを目的とする。【解決手段】取付面に取付可能な器具本体２１と、光源部４１を有し、前記器具本体２１に着脱可能に取り付けられる光源ユニット１００と、を備え、前記器具本体２１は、複数の係合部を有し、前記光源ユニット１００は、前記係合部に係合される複数の被係合部を有し、前記光源ユニット１００は、前記被係合部を前記係合部に係合することで前記器具本体２１に取り付けられる。【選択図】図３
2020035548.tif 000002
【特許請求の範囲】
【請求項１】
取付面に取付可能な器具本体と、
光源部を有し、前記器具本体に着脱可能に取り付けられる光源ユニットと、を備え、
前記器具本体は、
係合部を有し、
前記光源ユニットは、前記係合部に係合される被係合部を有し、
前記光源ユニットは、前記被係合部を前記係合部に係合することで前記器具本体に取り付けられる、照明器具。
【請求項２】
前記光源ユニットは、
前記光源部が照射面側に取り付けられるユニット本体と、
平面視において前記光源部に重なるように前記ユニット本体に取り付けられる透光性の光拡散カバーと、を有する、請求項１に記載の照明器具。
【請求項３】
前記照明器具は、
前記係合部と、当該係合部と係合される前記被係合部の組み合わせを複数有し、
前記係合部は、第１係合部と、前記第１係合部とは異なる構造の第２係合部と、を有し、
前記第２係合部は、前記器具本体から前記光源ユニットを取り外す際に、係合を解除するための操作部を前記器具本体の照射面側に有する、請求項１または請求項２に記載の照明器具。
【請求項４】
前記照明器具は、
前記係合部と、当該係合部と係合される前記被係合部の組み合わせを複数有し、
前記係合部と当該係合部に係合される被係合部のうち少なくとも一つの組み合わせは、前記器具本体に対して前記光源ユニットの一端を仮止めする仮止め機構を構成する、請求項１から請求項３の何れか一項に記載の照明器具。
【請求項５】
前記仮止め機構は、
前記光源ユニットに設けられる係合孔と、
前記係合孔を引掛けることができる構造を有する前記係合部と、
により構成される、請求項４に記載の照明器具。
【発明の詳細な説明】
【技術分野】
【０００１】
本発明は、照明器具に関する。
【背景技術】
【０００２】
従来、光源としてＬＥＤ素子を備えた照明器具が知られている（例えば、特許文献１参照）。
【０００３】
特許文献１には、天井面に設置される照明器具（シーリングライト）が開示されている。特許文献１に開示される照明器具は、取付面側に凹部（収容部）が形成されるとともに該取付面側の反対側に凸部が形成された器具本体と、前記器具本体の凸部に配置される光源部と、前記光源部と電気的に接続され、前記器具本体の凹部内に取り付けられる電源部と、光源部の照射面側を覆う透光性の保護カバーとを有する。光源部は、ネジ部材を用いて器具本体に固定される。電源部は、スペーサを用いて器具本体に取り付けられる。保護カバーは、ネジ部材を用いて器具本体に固定される。
【先行技術文献】
【特許文献】
【０００４】
【特許文献１】特開２０１８−６１４８号公報
【発明の概要】
【発明が解決しようとする課題】
【０００５】
特許文献１に開示された照明器具においては、光源部、電源部、及び保護カバー等を個別に器具本体にネジ部材等を用いて取り付けているため、光源部、電源部、及び保護カバー等をまとめて器具本体に取り付けることができず、組立作業が煩雑となっていた。また、特許文献１の照明器具では、照明器具を天井面に取り付けたり修理をする場合、結線作業を行ったり光源部や電源部等を器具本体から取り外すに際して、光源部や電源部を固定しているネジ部材を外す必要があり、作業性が良くない。そのため、照明器具の構成としては、光源部を含む複数の部材を光源ユニットとし、当該光源ユニットを器具本体に容易に着脱可能とする、作業性が向上した照明器具が望まれる。
【０００６】
そこで、本発明は、上記課題に鑑みてなされたものであり、光源ユニットを器具本体に取り付ける際の作業性を向上する構造を有する照明器具であって、光源ユニットを器具本体に容易に着脱可能な照明器具を提供することを目的とする。
【課題を解決するための手段】
【０００７】
本発明の解決しようとする課題は以上の如くであり、次にこの課題を解決するための手段を説明する。
【０００８】
すなわち、本願に開示する照明器具は、
取付面に取付可能な器具本体と、
光源部を有し、前記器具本体に着脱可能に取り付けられる光源ユニットと、を備え、
前記器具本体は、
係合部を有し、
前記光源ユニットは、前記係合部に係合される被係合部を有し、
前記光源ユニットは、前記被係合部を前記係合部に係合するものである。
【０００９】
本願に開示する照明器具において、
前記光源ユニットは、
前記光源部が照射面側に取り付けられるユニット本体と、
平面視において前記光源部に重なるように前記ユニット本体に取り付けられる透光性の光拡散カバーと、を有することが好ましい。
【００１０】
本願に開示する照明器具において、
前記照明器具は、
前記係合部と、当該係合部と係合される前記被係合部の組み合わせを複数有し、
前記係合部は、第１係合部と、前記第１係合部とは異なる構造の第２係合部と、を有し、
前記第２係合部は、前記器具本体から前記光源ユニットを取り外す際に、係合を解除するための操作部を前記器具本体の照射面側に有することが好ましい。
【００１１】
本願に開示する照明器具において、
前記照明器具は、
前記係合部と、当該係合部と係合される前記被係合部の組み合わせを複数有し、
前記係合部と当該係合部に係合される被係合部のうち少なくとも一つの組み合わせは、前記器具本体に対して前記光源ユニットの一端を仮止めする仮止め機構を構成することが好ましい。
【００１２】
本願に開示する照明器具において、
前記仮止め機構は、
前記光源ユニットに設けられる係合孔と、
前記係合孔を引掛けることができる構造を有する前記係合部と、
により構成されることが好ましい。
【発明の効果】
【００１３】
本発明によれば、光源ユニットを器具本体に容易に着脱可能な照明器具を提供することができる。これにより、光源ユニットを器具本体に取り付け及び取り外しの際の作業性を向上することができる。
【図面の簡単な説明】
【００１４】
【図１】本発明の第１実施形態に係る照明器具を斜め下方から見た斜視図。
【図２】同じく照明器具を示す側面図。
【図３】同じく照明器具（透光性カバーを除く）を斜め下方から見た分解斜視図。
【図４】同じく照明器具（透光性カバーを除く）を斜め上方から見た分解斜視図。
【図５】第１係合部を示す斜視図。
【図６】第２係合部を示す斜視図。
【図７】第１係合部と係合孔が係合した状態を示す斜視図。
【図８】第２係合部と係合孔が係合した状態を示す斜視図。
【図９】器具本体に光源ユニットを仮止めした状態を示す側面図。
【図１０】器具本体に光源ユニットを取り付けた状態を示す側面図。
【図１１】器具本体に光源ユニットを取り付けた状態を示す平面図。
【図１２】図１１に示すＡ−Ａ線断面図。
【図１３】図１１に示すＢ−Ｂ線断面図。
【図１４】第２実施形態に係る照明器具を斜め下方から見た分解斜視図。
【図１５】器具本体に光源ユニットを取り付けた状態を示す斜め下方から見た斜視図。
【図１６】器具本体に光源ユニットを取り付けた状態を示す中心線断面図。
【図１７】図１６の第１係合部付近を示す部分拡大図。
【図１８】図１６の第２係合部付近を示す部分拡大図。
【図１９】第１係合部と係合孔が係合した状態を示す斜視図。
【図２０】器具本体が有する第２係合部を示す照射面側の斜視図。
【図２１】器具本体が有する第２係合部を示す取付面側の斜視図。
【図２２】器具本体に光源ユニットをセットした状態を示す照射面側の斜視図。
【図２３】第２係合部を９０度回転させた状態を示す照射面側の斜視図。
【図２４】第２係合部を９０度回転させた状態を示す取付面側の斜視図。
【図２５】第３実施形態に係る照明器具を斜め下方から見た分解斜視図。
【図２６】放熱板の被係合部を示す斜視図。
【図２７】光源ユニット（第１係合部に係合される被係合部側）を示す斜視図。
【図２８】光源ユニット（第２係合部に係合される係合孔側）を示す斜視図。
【図２９】器具本体に光源ユニットを取り付けた状態を示す斜め下方から見た斜視図。
【図３０】器具本体に光源ユニットを取り付けた状態を示す中心線断面図。
【図３１】図３０の第１係合部付近を示す部分拡大断面図。
【図３２】図３０の第２係合部付近を示す部分拡大断面図。
【発明を実施するための形態】
【００１５】
本発明の第１の実施形態に係る照明器具１１について、図１から図１３を用いて説明する。本実施形態に係る照明器具１１は、複数のＬＥＤ素子４２を光源とする照明器具である。図１、図２に示すように、照明器具１１は、例えば天井等の取付面（図示せず）に直付けされるシーリングライトである。以下の説明では、照明器具１１（１１Ａ、１１Ｂ）の光を照射する側を照明器具１１の照射面側とし、照明器具１１（１１Ａ、１１Ｂ）における天井等の取付面に対向する側を照明器具１１（１１Ａ、１１Ｂ）の取付面側（取付状態では天井側）として説明する。また、照明器具１１において、図２〜図４、図９〜図１１、図１２、図１３における上下方向を、照明器具１１Ａにおいて、図１４、図１７、図１８における上下方向を、照明器具１１Ｂにおいて、図２５、図３１、図３２における上下方向を照明器具１１、１１Ａ、１１Ｂのそれぞれの「上下方向」として説明する。上下方向に直交する方向を径方向として説明する。また、本実施形態の説明において、下方から照明器具１１等を視た状態を平面視とする。上下方向に対して直交方向から照明器具１１等を視た状態を側面視とする。照明器具１１等の断面形状を視た状態を断面視とする。
【００１６】
照明器具１１は、主に器具本体２１、光源ユニット１００、透光性カバー５１、取付部７１、及び受信部８１を有している。光源ユニット１００は、電源部３１、光源部４１、放熱板６１、及び保護カバー９１を有し、これらが組み合わされて一つのユニットを構成している。照明器具１１は、平面視における形状が円形形状である。光源ユニット１００は、器具本体２１に着脱可能に取り付けられる。なお、本発明における「着脱可能に取り付けられる」とは、ドライバー等の道具や新たなネジ部材などを用いずに、作業者が容易に取り付け及び取り外しが可能な状態を意味する。
また、照明器具１１の形状は、本実施形態に示すような円形形状に限らず、平面視における形状がスクエア形状等であってもよい。
また、光源ユニット１００は、その構成として、少なくとも光源部４１を有していればよい。例えば、電源部３１を器具本体２１側に設けて、光源ユニット１００は電源部３１を含まない構成であってもよい。
【００１７】
器具本体２１は、照明器具１１の本体を構成するものである。器具本体２１は、いわゆるベースやシャーシと呼ばれる部材である。器具本体２１は、取付部７１を介して取付面に取付可能である。器具本体２１は、扁平な形状で平面視における外形輪郭形状が円形である。器具本体２１は、照射面側に光源ユニット１００（電源部３１、光源部４１、放熱板６１、保護カバー９１）、取付部７１、及び透光性カバー５１等を保持するものである。
【００１８】
器具本体２１は、照射面側に凹部（後述する収容部２６の照射面側の部分）が形成される。器具本体２１は、照射面側の反対側となる取付面側に凸部（後述する収容部２６の取付面側の部分）が形成されている。図３に示すように、器具本体２１は、取付孔２２（図４参照）、内周縁部２３、底板部２４、周壁部２５、収容部２６、及び鍔部２７を有し、単一の部材として一体的に形成されている。器具本体２１は、光源ユニット１００（電源部３１、光源部４１、放熱板６１、保護カバー９１）、取付部７１及び透光性カバー５１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、器具本体２１は、耐久性、強度及び放熱性が高い材料であれば、先述した金属材料に限らず、その他の合金材料や樹脂等の他の材料で形成することができる。
なお、本実施形態においては、内周縁部２３、底板部２４、周壁部２５、収容部２６、及び鍔部２７を器具本体２１として一体的に形成しているが、特に限定するものではなく、上記各構成部材を各々組み付けて構成してもよい。
【００１９】
取付孔２２は、照明器具１１を天井に取り付ける際、アダプタ等の配線部品１１０を挿通する円形の開口部分である。取付孔２２は、器具本体２１の径方向中心となる位置に設けられている。
【００２０】
内周縁部２３は、取付孔２２の周縁部分である。内周縁部２３は、照射面側が凸状で取付面側が凹状であり、平面視において直径方向両端を直線状に切り欠いた円形状である。内周縁部２３は、取付部７１の一端（上端）が当接して取り付けられる部分である。
【００２１】
内周縁部２３には、ＱＬスタット用の一対の切除可能なノックアウト部２３ａが設けられている。ノックアウト部２３ａは、大径部２３ａ１、該大径部２３ａ１に連設するスリット部２３ａ２からなる。照明器具取付用の取付金具であるＱＬスタットを用いて照明器具１１を取付面に取り付ける場合に、ノックアウト部２３ａをドライバー等の先端で打ち抜くことで、ノックアウト部２３ａを貫通させて取付孔を形成することができる。ＱＬスタットは、天井に固定された引掛シーリングボディを包囲するように環状に設けられた取付金具である。天井にＱＬスタットを固定した後、ノックアウト部２３ａを利用して、ネジ部材でＱＬスタットに器具本体２１を固定する。
【００２２】
底板部２４は、内周縁部２３の周囲に略円環状に形成された板状部分である。
また、底板部２４の取付面側には、円環状の緩衝材４０が内周縁部２３を囲むように配置される。緩衝材４０は、照明器具１１を天井等の取付面に取り付けた状態で、取付面と照明器具１１との間に挟まれて、その弾性力によって照明器具１１のガタツキを防止するためのものである。
【００２３】
周壁部２５は、底板部２４の外周縁から下方に行くに従って拡径されるテーパ状の部分である。
【００２４】
収容部２６は、底板部２４及び周壁部２５により形成される扁平で有底略円筒形状の部分である。収容部２６は、平面視において外形形状が円形である。収容部２６は、照射面側から見ると上方に凹状に形成されており、取付面側から見ると上方に凸状に形成されている。収容部２６は、器具本体２１に光源ユニット１００を取り付けた際に、内部に光源ユニット１００が有する電源部３１の一部が収容される部分である。
【００２５】
鍔部２７は、収容部２６の周囲に形成される。鍔部２７は、周壁部２５の下端の外周縁から径方向外側に突出する円環状の部分である。鍔部２７は、器具本体２１の外周縁部分である。鍔部２７の照射面側には、透光性カバー５１を保持するための複数（本実施形態では、３つ）の保持部２９が設けられている。複数の保持部２９は、鍔部２７の周方向に沿って略均等間隔に配置される。鍔部２７の内周縁には、第１係合部２８及び第２係合部３０をネジ部材により固定するための複数（本実施形態では、３つ）のネジ固定部２７ａが略均等間隔に設けられている。
【００２６】
次に、器具本体２１が有する第１係合部２８及び第２係合部３０について図を用いて説明する。
第１係合部２８は、光源ユニット１００の外周の一端部を器具本体２１に係合して、仮止めするための仮止め用の金属製の板バネである。第１係合部２８は、器具本体２１の鍔部２７の内周縁部の照射面側に取り付けられる。第１係合部２８は、器具本体２１に光源ユニット１００を取り付けたとき、電源部３１が配置される側に設けられる。第１係合部２８には、光源ユニット１００に設けられる被係合部である係合孔１０１（放熱板６１の係合孔６４ａ、保護カバー９１の係合孔９４ａ）が係合可能である。第１係合部２８は、係合孔１０１を引掛けることができる構造を有する。第１係合部２８と係合孔１０１とは、器具本体２１に対して光源ユニット１００の一端を仮止めする仮止め機構を構成している。
【００２７】
図５に示すように、第１係合部２８は、固定部２８ａと、基部２８ｂと、湾曲部２８ｃと、フック部２８ｄと、先端部２８ｅとを有している。固定部２８ａは、略平板状であり、貫通孔２８ａ１を有している。第１係合部２８は、貫通孔２８ａ１を介してネジ固定部２７ａにネジ部材を螺合することにより、鍔部２７の内周縁部に取り付けられる。基部２８ｂは、略平板状であり、固定部２８ａの一端から下方に向けて略垂直に延出されている。湾曲部２８ｃは、基部２８ｂの先端部から延設され、下方に凸状に湾曲した板状の部分である。フック部２８ｄは、湾曲部２８ｃの先端部から径方向内側に延設され、側面視円弧状に湾曲した板状の部分である。先端部２８ｅは、フック部２８ｄの先端部から延設され、上方に凸状に湾曲した板状の部分である。図７に示すように、第１係合部２８は、光源ユニット１００が有する係合孔１０１（係合孔６４ａ及び係合孔９４ａ）がフック部２８ｄに係合されることで光源ユニット１００の外周の一端部を器具本体２１に仮止めすることができる。本実施形態の第1係合部２８のように、その先端が下方に向かって湾曲した先端部２８ｅを設けることによって、器具本体２１を取付面に取り付けた場合に、作業者は先端部２８ｅを視認しやすくなる。これにより、作業者は光源ユニット１００の係合孔１０１を先端部２８ｅに通しやすくなる。
【００２８】
第２係合部３０は、光源ユニット１００の外周端部を器具本体２１に係合して、固定するための複数（本実施形態では、２つ）の固定用の金属製の板バネである。第２係合部３０は、器具本体２１の鍔部２７の内周縁部の照射面側に取り付けられる。本実施形態では、一つの第１係合部２８及び二つの第２係合部３０が鍔部２７の周方向に沿って略均等間隔に配置される。第２係合部３０には、光源ユニット１００が有する被係合部である係合孔１０１（係合孔６４ａ、係合孔９４ａ）が係合可能である。本実施形態の照明器具１１では、第１係合部２８と係合孔１０１とからなる一つの組み合わせと、第２係合部３０と係合孔１０１とからなる二つの組み合わせを有している。第１係合部２８は、第２係合部３０と構造が異なっている。
【００２９】
図６に示すように、第２係合部３０は、固定部３０ａと、基部３０ｂと、第１湾曲部３０ｃと、第２湾曲部３０ｄと、先端部３０ｅとを有している。固定部３０ａは、略平板状であり、貫通孔３０ａ１を有している。第２係合部３０は、貫通孔３０ａ１を介してネジ固定部２７ａにネジ部材を螺合することにより、鍔部２７の内周縁部に取り付けられる。基部３０ｂは、略平板状であり、固定部３０ａの一端から下方に向けて略垂直に延出されている。第１湾曲部３０ｃは、基部３０ｂの先端部から径方向内側に延設され、側面視円弧状で下方に向けて凸状に湾曲した板状の部分である。第２湾曲部３０ｄは、第１湾曲部３０ｃから連続して延設され、側面視円弧状で上方に向けて凸状に湾曲した板状の部分である。第１湾曲部３０ｃと第２湾曲部３０ｄは、側面視において略Ｓ字形状になっている。先端部３０ｅは、第２湾曲部３０ｄの先端部から径方向内側に延設される略平板状の部分である。図８に示すように、第２係合部３０は、光源ユニット１００が有する係合孔１０１（係合孔６４ａ及び係合孔９４ａ）に第２湾曲部３０ｄが係合されるとともに、係合孔１０１の径方向内側の端部に先端部３０ｅが係止されることで光源ユニット１００の外周端部を器具本体２１に固定することができる。
【００３０】
電源部３１は、光源部４１と電気的に接続され、放熱板６１の取付面側の所定の位置に１つのユニット（１ユニット）として取り付けられるものである。具体的には、電源部３１は、電源回路部３２と、該電源回路部３２を保持する回路保持部３５と、該回路保持部３５を収容する電源ケース３６とを有している。電源部３１の一端側（下端側）は、ネジ部材により放熱板６１の取付面側に固定され、光源ユニット１００が器具本体２１に取り付けられた場合、電源部３１の他端側（上端側）は収容部２６内に収容される。
【００３１】
電源回路部３２は、光源部４１が有するＬＥＤ素子４２（図３参照）に給電を行って、ＬＥＤ素子４２を点灯させるための電源回路である。電源回路部３２は、平面視略長方形状に加工されたプリント配線基板である電源基板３３上に複数の電源回路部品等の電子部品が実装された電源回路である。電源回路部３２は、外部商用電源から供給される交流電流を所定の直流電流に変換し、変換後の電流を基板４３に実装された複数のＬＥＤ素子４２に供給するためのものである。電源回路部３２（電源基板３３）は、電源回路部品等の電子部品の実装面側を下側に向けた状態で配置される。電源基板３３の実装面側（下面側）には、電源回路部品等の電子部品と、リモコン信号の受信部８１が配置されている。受信部８１は、受光素子８２とチャンネル切替スイッチ８３とを有している。すなわち、電源部３１は、電源回路部品等の電子部品とリモコン信号を受信する受光素子８２が同一の基板に実装されて形成されている。また、電源部３１は、電源回路部品等の電子部品とチャンネル切替スイッチ８３が同一の基板に実装されて形成されている。また、電源部３１では、前記電源回路部品等の電子部品、受光素子８２、及びチャンネル切替スイッチ８３が電源基板３３の一方の表面（下面）に実装されている。電源基板３３には、放熱板６１の受光窓６３ｃ及び光源部４１の受光窓４３ｃに対向する位置に受信部８１の受光素子８２が配置されている。電源回路部３２は、配線を介して給電側コネクタ３４が設けられている。給電側コネクタ３４は、照明器具１１を天井等の取付面に取り付ける際、配線器具側のコネクタ（図示せず）に接続することで、電源回路部３２は照明器具用の天井配線器具を介して外部商用電源と電気的に接続される。電源回路部３２と光源部４１は配線（図示せず）によって後述する放熱板６１の挿通孔６３ｂを介して電気的に接続されている。
【００３２】
回路保持部３５は、樹脂素材で形成され、照射面側が開放された扁平で有底容器状の部材である。回路保持部３５は、平面視略長方形形状に形成される。回路保持部３５は、電源ケース３６内に収容される。回路保持部３５は、電源回路部３２（電源基板３３）の端部を爪部等で係止することで電源回路部３２（電源基板３３）を保持する。回路保持部３５は、電気絶縁性を有する部材である。
【００３３】
電源ケース３６は、金属素材で形成された照射面側が開放された扁平で有底容器状の部材である。本実施形態の電源ケース３６は、平面視略長方形形状に形成される。電源ケース３６は、下端から径方向外側に向けて延出される電源取付部３６ａを有している。電源取付部３６ａは、ネジ部材を挿通するための複数のＵ字状の切欠き孔を有している。電源ケース３６は、内部に回路保持部３５を収容した状態でネジ部材により電源取付部３６ａを放熱板６１のネジ固定部６３ｈに固定して、電源ケース３６を放熱板６１の取付面側に取り付けることができる。電源ケース３６は、金属素材ではなく、樹脂素材等の他の素材で作製してもよい。
【００３４】
このように電源部３１を構成することで、電源回路部３２（電源基板３３）と、受信部８１（受光素子８２、チャンネル切替スイッチ８３）と、給電側コネクタ３４と、を一体化して１ユニット化している。こうして、電源回路部３２（電源基板３３）、受信部８１（受光素子８２、チャンネル切替スイッチ８３）、及び給電側コネクタ３４は、回路保持部３５及び電源ケース３６を介して放熱板６１の取付面側に１ユニットとして取り付けることができる。このとき、電源部３１は、給電側コネクタ３４が取付部７１側に配置されるように放熱板６１に取り付けられる。このように構成することで、給電側コネクタ３４を放熱板６１の外周側に配置したときと比較して、配線部品１１０側のコネクタとの距離を短くすることができる。
【００３５】
また、電源回路部３２は、上記のように、回路保持部３５及び電源ケース３６に収容されるため、電源回路部３２と放熱板６１との間で電気的絶縁性を確保できる。また、電源ケース３６を用いて、電源回路部３２（電源基板３３）、回路保持部３５、受信部８１（受光素子８２、チャンネル切替スイッチ８３）、及び給電側コネクタ３４を電源部３１として１ユニット化することによって、これらを同時に放熱板６１に容易に取り付けることができ、照明器具１１の組立性が向上する。すなわち、照明器具１１の組立作業の簡素化を可能とする。また、電源ケース３６を用いて電源回路部３２（電源基板３３）、回路保持部３５、受信部８１（受光素子８２、チャンネル切替スイッチ８３）、及び給電側コネクタ３４を一体化して１ユニットにする作業工程と、当該１ユニットを器具本体２１に取り付ける作業工程とを分業化することが可能となり、生産性が向上する。
【００３６】
光源部４１は、照明器具１１の照射面側に向けて光を出射する部分である。光源部４１は、放熱板６１の光源取付部６３ａに配置される。光源部４１は、複数のＬＥＤ素子４２を有する。光源部４１は、円環部６３の光源取付部６３ａ上に配置される略平板状のものである。具体的には、光源部４１は、複数（本実施形態では、２枚）のＬＥＤ光源モジュール４４を有している。各ＬＥＤ光源モジュール４４は、平板状モジュール基板である基板４３上に複数の点光源であるＬＥＤ素子４２が実装されて構成されている。複数のＬＥＤ素子４２は、放熱板６１の中央凸部６２を中心として略同心円状に略等間隔で配置されている。ＬＥＤ光源モジュール４４は、器具本体２１が有する保持部２９よりも照射面側の位置に配置される。これにより、透光性カバー５１に保持部２９の影が出にくい。
なお、本実施形態の光源部４１では、２つのＬＥＤ光源モジュール４４が平面視円環状に配置されているが、特に限定するものでなく、例えば、径方向中央部にもＬＥＤ素子４２が実装された平面視円形状のＬＥＤ光源モジュールを用いることもできる。
【００３７】
ＬＥＤ光源モジュール４４が有する基板４３は、平面視において所定幅を有する略半円環状に形成されている。本実施形態では、２枚のＬＥＤ光源モジュール４４が用いられるが、各ＬＥＤ光源モジュール４４の基板４３は、共に略半円環状で類似の形状であるが受光窓４３ｃの有無等の一部の形状が異なっている。
【００３８】
一方のＬＥＤ光源モジュール４４の基板４３は、周方向の一方の端部の径方向中央部に、放熱板６１の挿通孔６３ｂに対応するように略半円状に切り欠いた切欠き部４８を有する。
【００３９】
他方のＬＥＤ光源モジュール４４の基板４３は、周方向の一方の端部の径方向中央部に、放熱板６１の挿通孔６３ｂに対応するように略半円状に切り欠いた切欠き部４８と、放熱板６１の受光窓６３ｃに対応するオーバル状の開口である受光窓４３ｃを有する。
【００４０】
各ＬＥＤ光源モジュール４４の基板４３には、径方向中央部において、周方向に沿って複数（本実施形態では、基板４３・４３のそれぞれに２つずつ）のネジ孔等のネジ固定部４６を有している。
【００４１】
基板４３には、放熱板６１の光源取付部６３ａに設けられた複数（本実施形態では、４つ）の円形状の凸部６３ｇに係止されて位置決めするための円形状で複数（本実施形態では、基板４３・４３のそれぞれに２つずつ）の貫通孔４７が径方向中央部において周方向に沿って設けられている。
【００４２】
各ＬＥＤ光源モジュール４４は、円周方向における、端部同士を対向させて光源取付部６３ａに配置される。また、各ＬＥＤ光源モジュール４４には、端部同士を対向させて配置した際に、略半円状に切り欠いた切欠き部４８同士により形成される電線挿通孔の近傍に、電源部３１から延びる配線を電気的に接続するための接続部であるコネクタ４５を有している。コネクタ４５は、各ＬＥＤ光源モジュール４４に配置された複数のＬＥＤ素子４２に給電するためのコネクタである。コネクタ４５は、平面視において電源部３１と重なる位置に配置されている。また、各ＬＥＤ光源モジュール４４間を電気的もしくは機械的に接続する接続部品により接続して複数のＬＥＤ光源モジュール４４を一つのユニットにすることもできる。略半円環状の２つのＬＥＤ光源モジュール４４を、端部同士を対向させて光源取付部６３ａに配置することにより、略円環状を成した光源部４１を形成することができる。各ＬＥＤ光源モジュール４４は、各々に対応する配線（図示せず）を各コネクタ４５に接続することによって電源部３１と電気的に接続されている。各ＬＥＤ光源モジュール４４は、基板４３の実装面の裏面が各光源取付部６３ａの平坦な表面に当接して固定されるため、各ＬＥＤ光源モジュール４４が発熱した際には、ＬＥＤ光源モジュール４４の熱が放熱板６１に伝わる。放熱板６１に伝わった熱は、放熱板６１の温度よりも周辺温度が低い場合、放熱板６１の周辺の空気へ伝わる。これにより、放熱板６１に伝わった熱は、放熱板６１の周囲に放熱される。
なお、各ＬＥＤ光源モジュール４４は、熱伝導性シート（図示せず）や放熱グリスを介して光源取付部６３ａに取り付けてもよく、これにより、より高い放熱性を得ることができる。
【００４３】
また、本実施形態では、光源として発光素子の一例である表面実装型のＬＥＤ素子を用いたが、光源の種類はＬＥＤ素子に限定されず、例えばＣＯＢ型発光モジュールや有機ＥＬ素子（ＯＬＥＤ）などであっても実現可能である。
また、基板４３・４３のそれぞれには、径方向の中央部に複数（本実施形態では、２つ）の円形状の貫通孔４７が設けられている。例えば、図３のように光源取付部６３ａに複数の円形状の凸部６３ｇ（本実施形態では、４つ）を有するように構成した場合、凸部６３ｇに貫通孔４７を係止させて位置決めすることが可能である。すなわち、基板４３が有する貫通孔４７を、光源取付部６３ａが有する凸部６３ｇに係止させることで、容易にＬＥＤ光源モジュール４４を光源取付部６３ａにおける所定の位置に配置することができる。
【００４４】
本実施形態のＬＥＤ光源モジュール４４では、略同心円状に複数のＬＥＤ素子４２が並んで（本実施形態では、基板４３・４３の径方向内側、径方向外側の２列）配列されている。
【００４５】
透光性カバー５１は、器具本体２１の照射面側を覆うように器具本体２１に取り付けられ、光源部４１からの光を反射及び拡散させつつ、外部へ配光する部材である。透光性カバー５１は、セード等を含む。透光性カバー５１は、透光性を有する樹脂素材で形成されている。透光性カバー５１の全体形状は、平面形状が円形であり、下面側に緩やかにドーム状に膨らんでいる。透光性カバー５１は、透光性カバー５１の内部の清掃や器具本体２１の部品交換等のために器具本体２１に対して着脱できる構造となっている。透光性カバー５１の上面側の開口縁部には、透光性カバー５１を器具本体２１が有する鍔部２７に取り付けるための被保持部（図示せず）が形成されている。なお、本実施形態における透光性カバー５１の形状は一例であって、ドーム状の他、円筒状や角筒状などにすることもできる。
【００４６】
器具本体２１には、透光性カバー５１の被保持部を保持するための取付金具である保持部２９が設けられている。詳細は省略するが、透光性カバー５１を器具本体２１の取り付け位置に配置して透光性カバー５１の周方向の一方に回動させると、透光性カバー５１の被保持部が器具本体２１の保持部２９に保持されて透光性カバー５１が器具本体２１に取り付けられる。また、透光性カバー５１が器具本体２１に取り付けられた状態で透光性カバー５１を周方向の他方に回動させると、透光性カバー５１の被保持部が器具本体２１の保持部２９から外れて、透光性カバー５１を器具本体２１から取り外すことができる。
【００４７】
放熱板６１は、光源ユニット１００の本体部分を構成するユニット本体である。放熱板６１は、器具本体２１の照射面側の少なくとも一部（例えば、収容部２６）を覆う円板状の部材である。放熱板６１は、電源部３１及び光源部４１から発生した熱を伝導して空気中に放熱する部材である。本実施形態では、放熱板６１は、電源部３１及び取付部７１を覆っている。放熱板６１は、平面視における外形輪郭形状が略円形状である。放熱板６１は、照射面側に光源部４１及び保護カバー９１等を保持するものである。放熱板６１は、取付面側に電源部３１等を保持するものである。詳細は後述するが、放熱板６１は、光源ユニット１００を構成する部材の一つとして、器具本体２１が有する収容部２６の照射面側に取り付けられる。放熱板６１は、中央凸部６２、円環部６３、及び外周縁部６４を有し、単一の部材として一体的に形成されている。放熱板６１は、光源部４１及び保護カバー９１等を保持可能な耐久性や強度と、電源部３１及び光源部４１が発する熱を放熱させるための熱伝導性とを考慮し、鉄やアルミニウム、またはそれらの合金等の金属板を用いて形成されている。なお、放熱板６１は、耐久性、強度及び放熱性が高い材料であれば、先述した金属材料に限らず、その他の合金材料や樹脂等の他の材料で形成することができる。
なお、本実施形態においては、中央凸部６２、円環部６３、及び外周縁部６４を放熱板６１として一体的に形成しているが、特に限定するものではなく、上記各構成部材を各々組み付けて構成してもよい。
【００４８】
中央凸部６２は、取付部７１の照射面側（下側）を覆う平面視円形状の平坦な部分である。中央凸部６２は、下方に向けて凸状に突出している。
【００４９】
円環部６３は、中央凸部６２の周囲に円環状に形成された平坦部分である。円環部６３は、照射面側に光源部４１が取り付けられる平坦な面である光源取付部６３ａを有する。円環部６３は、照射面側から見ると上方に凹状に形成されており、光源部４１が円環部６３に配置されることで位置決めされる。
【００５０】
光源取付部６３ａは、複数（本実施形態では２つ）のＬＥＤ光源モジュール４４が所定位置に取り付けられる平坦面であり、該平坦面にＬＥＤ光源モジュール４４が当接して取り付けられる。光源取付部６３ａは、光源部４１で発生した熱を伝えて外部に放出する放熱部としても機能させるため、光源部４１が取り付けられる光源取付部６３ａは、光源部４１との接触面積が広くなるよう平坦に形成されている。
また、光源取付部６３ａの径方向中途部には、周方向に沿って複数の円形状の凸部６３ｇ（本実施形態では、４つ）が略等間隔で設けられている。
【００５１】
円環部６３の径方向の中途部には、電源部３１から延びる配線を挿通するための円形状の挿通孔６３ｂが設けられている（図４参照）。
【００５２】
円環部６３の径方向の中途部には、受信部８１が有する受光素子８２に対応する位置に平面視においてオーバル形状の開口である受光窓６３ｃが設けられている。受光窓６３ｃは、上記挿通孔６３ｂに近接して配置されている。
【００５３】
円環部６３の径方向の中途部には、保護カバー９１及びＬＥＤ光源モジュール４４を光源取付部６３ａにネジ部材により共締めして固定するための複数（本実施形態では、４つ）のネジ固定部６３ｆが設けられている。
【００５４】
円環部６３の外周端部には、電源部３１の電源ケース３６をネジ部材により固定するための複数（本実施形態では、２つ）のネジ固定部６３ｈが設けられている。
【００５５】
外周縁部６４は、円環部６３の周囲に形成される。外周縁部６４は、円環部６３の外周縁から径方向外側に延出される円環状の部分である。外周縁部６４は、放熱板６１の外周縁部分である。外周縁部６４には、第１係合部２８及び第２係合部３０により係合される複数（本実施形態では、３つ）の係合孔６４ａが設けられている。係合孔６４ａは、略長方形状の貫通孔である。複数の係合孔６４ａは、外周縁部６４の周方向に沿って略均等間隔に配置される。
【００５６】
放熱板６１は、光源ユニット１００の一部として光源ユニット１００に組み付けられる。放熱板６１を有する光源ユニット１００が平面視で収容部２６と重なるように器具本体２１に取り付けられることで、本実施形態では第１係合部２８及び第２係合部３０により放熱板６１が収容部２６の下方に３点支持された状態となる。これにより、図１０に示すように、側面視において器具本体２１と光源ユニット１００との間に空間を有し、取付部７１の一部及び電源部３１の一部が露出する。すなわち、側面視において光源ユニット１００と器具本体２１との間に開放された隙間が形成される。そのため、空気の流通がスムーズになされて、放熱板６１を介して放熱される光源部４１の熱や電源部３１から発生される熱が籠らず、このような構成は放熱性が良好である。また、放熱板６１と収容部２６（底板部２４）により所定の空間が形成され、当該空間に電源部３１及び取付部７１を収容するための高さ及び幅が確保される。器具本体２１内においては、電源部３１（電源ケース３６）が取付部７１と隣り合うように配置される。
【００５７】
取付部７１は、引掛シーリングアダプタ等の配線部品１１０を取り付ける部分である。取付部７１は、内周縁部２３の照射面側に固定される。取付部７１は、該配線部品１１０を介して照明器具１１を天井等の取付面側に配置された配線器具と電気的に接続される。図４に示すように、取付部７１は、器具本体２１が有する取付孔２２より大径の円筒部７２と、該円筒部７２の径方向両端から径方向外側に延出される延出部７３を有している。
【００５８】
延出部７３には、一対のノックアウト部２３ａに対応する位置に長孔７７が設けられている。これにより、一対のノックアウト部２３ａを切除することで、ＱＬスタット用の取付孔を形成することができる。
【００５９】
照明器具１１を天井に取り付ける一例としては、照明器具用の天井配線器具（引掛シーリングボディ）にアダプタ等の配線部品１１０を取付け、器具本体２１が有する取付孔２２に配線部品１１０を差し込むとともに、該配線部品１１０を取付部７１内に嵌合する。
【００６０】
受信部８１は、上述した電源部３１の電源基板３３上に配置されている。受信部８１は、リモコン（図示せず）からの無線信号（本実施形態では赤外線による信号）を受信する部分である。受信部８１は、受光部である受光素子８２と、チャンネル切替スイッチ８３を有している。受光素子８２は、電源部３１の電源基板３３の長手方向一端部近傍に実装されている。受光素子８２は、光源部４１のＬＥＤ素子４２と同じ向き（受光素子８２の受光面とＬＥＤ素子４２の発光面が同じ向きになる）になるように実装されている。チャンネル切替スイッチ８３は、電源基板３３の長手方向一端部近傍であって、該電源基板３３の短手方向の一方（外側）の端部に実装されている。受光素子８２は、平面視において放熱板６１が有する受光窓６３ｃと重なるように配置される。受信部８１は、電源基板３３に電気的に接続される。受光素子８２は、使用者によって操作されるリモコンから送信される無線信号を伝送媒体としたリモコン信号を受信することができる。リモコンにより受光素子８２に所定の信号を送信することで使用者はＬＥＤ光源モジュール４４（ＬＥＤ素子４２）の点灯、消灯、調光等を遠隔操作できる。
また、本実施形態ではリモコン信号を受信する受信部８１を設けたが、これに限らず、その他のセンサ制御方法を採用してもよい。また、無線信号による制御ではなく、有線での制御でもよく、その場合には受信部を設けなくてもよい。
【００６１】
保護カバー９１は、器具本体２１と透光性カバー５１との間において、光源部４１を覆う部材である。保護カバー９１は、光拡散カバーとも呼ばれる。保護カバー９１は、平面視において光源部４１に重なるように放熱板６１に取り付けられる。保護カバー９１は、光源部４１と透光性カバー５１との間に配置される。保護カバー９１は、透光性を有しており、例えば透光性を有する樹脂素材で形成されている。保護カバー９１は、平面視において略円環状の部材であって、図３に示すように、主に内周縁部９２、光源カバー部９３、及び外周縁部９４を有している。保護カバー９１は、放熱板６１と略同じ形状及び大きさであり、放熱板６１の光源取付部６３ａ及び外周縁部６４の照射面側をほぼ覆うことができる。
【００６２】
内周縁部９２は、保護カバー９１の中央に配置される略円環状の部分である。保護カバー９１が放熱板６１に取り付けられた場合、保護カバー９１の内周縁部９２は、光源部４１の内周縁部の照射面側に当接もしくはほとんど隙間を有しない状態で近接する。
以下の説明において、「当接もしくはほとんど隙間を有しない状態で近接する」状態を、単に「当接する」と表現する。以下の説明において「当接する」と表現されるものは、「ほとんど隙間を有しない状態で近接する」状態も含むものとする。
【００６３】
光源カバー部９３は、平面視円環状であり、内周縁部９２の径方向外側に連続して形成され、光源部４１に対して所定の隙間を有する部分である。光源カバー部９３は、内周側から順に、平面視円環状で照射面に向けて凸形状の第１レンズ部９５と、第１レンズ部９５の径方向外側に連続して形成される所定幅を有する平面視略円環状の平坦部９６と、平坦部９６の径方向外側に連続して形成される平面視円環状で照射面側に向けて凸形状の第２レンズ部９７を有している。本実施形態の第１レンズ部９５及び第２レンズ部９７は、平面視円環状の複数のリブを有し、略同心円状に複数の山と溝が交互に形成されている形状である。第１レンズ部９５は、ＬＥＤ光源モジュール４４の基板４３において略同心円状に配列された複数のＬＥＤ素子４２うち、径方向内側に配置されたＬＥＤ素子４２と平面視で重なる位置に配置される。第２レンズ部９７は、ＬＥＤ光源モジュール４４の基板４３において略同心円状に配列された複数のＬＥＤ素子４２のうち、径方向外側に配置されたＬＥＤ素子４２と平面視で重なる位置に配置される。
【００６４】
第１レンズ部９５及び第２レンズ部９７は、複数のＬＥＤ素子４２から出射された光が通過した際に、光を反射及び拡散させつつ、外部へ配光する。こうして、第１レンズ部９５及び第２レンズ部９７は、透光性カバー５１における光の均整度を高めることができる。
【００６５】
保護カバー９１において、第１レンズ部９５及び第２レンズ部９７は、基板４３に円環状に配列された複数のＬＥＤ素子４２を連続的に覆っている。そのため、照明器具の仕様（例えば、適合畳数）が変更になるなどＬＥＤ素子４２の配置数や配置間隔が変更になった場合であっても、ＬＥＤ素子４２が平面視で重なる位置であれば第１レンズ部９５及び第２レンズ部９７によって光制御することが可能であり、汎用性に優れる。
なお、本実施形態の保護カバー９１では、第１レンズ部９５及び第２レンズ部９７を設けたが、これらは必須の構成ではない。また、その形状や配列についても適宜変更してもよい。また、保護カバー９１のレンズ部は、複数のＬＥＤ素子４２を連続的に覆う形状ではなく、ＬＥＤ素子４２ごとに覆う形状に変更することもできる。
【００６６】
内周縁部９２、光源カバー部９３、及び外周縁部９４は、例えば、アクリル樹脂又はポリカーボネート樹脂等の透光性樹脂を用いて、金型を用いた射出形成によって一体的に形成することが可能である。
【００６７】
平坦部９６には、照射面側に凸状に向かって膨らむ形状で平面視略長方形状の凸部９８を有している。凸部９８は、電源回路部３２と光源部４１とを電気的に接続する電線を挿通するための電線挿通部（挿通孔６３ｂ、切欠き部４８・４８）及び基板４３に設けられたコネクタ４５（図３参照）に対応する位置に設けられ、取付面側に電線挿通部から延びる配線及び基板４３に設けられたコネクタ４５を収容する所定の空間を有している。これにより、平坦部９６と電線挿通部から延びる配線やコネクタ４５との干渉を防ぐことができる。
【００６８】
平坦部９６には、ネジ部材等の固定部材により保護カバー９１、ＬＥＤ光源モジュール４４の基板４３、及び器具本体２１を共締めするための貫通孔である複数（本実施形態では、４つ）のネジ固定部９６ａが設けられている。ネジ部材により放熱板６１のネジ固定部６３ｆ、ＬＥＤ光源モジュール４４のネジ固定部４６、及び保護カバー９１のネジ固定部９６ａを介して、放熱板６１とＬＥＤ光源モジュール４４と保護カバー９１は共締めされる。これにより、放熱板６１とＬＥＤ光源モジュール４４との密着性を高めるとともに、ＬＥＤ光源モジュール４４と保護カバー９１との位置を適正に配置することができる。また、それぞれ個別に固定しないため、ネジやビス等の固定部材の使用量が減り、部品点数を少なくして製造コストの低減が図れる。
【００６９】
外周縁部９４は、光源カバー部９３（第２レンズ部９７）の周囲に連続して形成される略円環状の部分である。外周縁部９４は、保護カバー９１の外周縁部分である。保護カバー９１が放熱板６１に取り付けられた場合、保護カバー９１の外周縁部９４は、放熱板６１の外周縁部６４の照射面側に当接する。外周縁部９４には、第１係合部２８及び第２係合部３０により係合される複数（本実施形態では、３つ）の係合孔９４ａが設けられている。係合孔９４ａは、略長方形状の貫通孔である。複数の係合孔９４ａは、外周縁部９４の周方向に沿って略均等間隔に配置される。係合孔９４ａは、放熱板６１が有する係合孔６４ａと係合孔９４ａとほぼ同じ形状及び大きさであり、係合孔６４ａに対応する位置に配置される。係合孔９４ａと係合孔６４ａとは、重なり合った状態で第１係合部２８や第２係合部３０に係合する係合孔１０１を構成する。
【００７０】
次に、図９から図１３を用いて、光源ユニット１００を器具本体２１に取り付ける手順を説明する。
先ず、作業者は、天井面に取り付けられた器具本体２１に下方から光源ユニット１００を取り付けるに際して、光源ユニット１００が有する電源部３１近傍に位置する係合孔１０１に対して、係合孔１０１の取付面側（背面側）から第１係合部２８の先端部２８ｅを挿通する。さらに光源ユニット１００の係合孔１０１を第１係合部２８のフック部２８ｄまで挿通して引掛ける（図９参照）。こうして、光源ユニット１００の係合孔１０１を第１係合部２８に係合して、光源ユニット１００の外周部の一端を器具本体２１に仮止めする（この状態を、仮止め状態という）。
なお、この場合、係合孔１０１を第１係合部２８に係合した状態で、作業者が光源ユニット１００を把持せずに器具本体２１の下方に吊下げることもできる（この状態を、仮吊り状態という）。
【００７１】
光源ユニット１００を仮吊り状態にした場合、作業者は光源ユニット１００を手で支えなくても光源ユニット１００が安定して保持されるため、例えば、作業者は両手を使って配線器具側のコネクタ（図示せず）と給電側コネクタ３４との結線作業を行うことができる。このように光源ユニット１００を仮吊り状態にすることで、作業者が一人で器具本体２１への光源ユニット１００の取付作業、電気的接続作業、及び修理点検作業等を容易に行うことができる。
【００７２】
本実施形態のように第１係合部２８と係合する係合孔１０１の近傍に電源部３１を配置した場合、電源部３１の給電側コネクタ３４を光源ユニット１００の径方向外側に設けると、給電側コネクタ３４と第１係合部２８が近接する。そのため、給電側コネクタ３４と配線部品１１０との接続作業を行う空間が狭くなるため煩雑となる可能性がある。また、給電側コネクタ３４の接続口は、光源ユニット１００の径方向外側に開口するように配置される。光源ユニット１００を仮吊り状態にした場合には、作業者からは給電側コネクタ３４の接続口の視認性が悪い、且つ、配線部品１１０から径方向外側に延びる配線とは対向しない向きに給電側コネクタ３４の接続口が配置されるので接続作業がしにくい可能性がある。また、給電側コネクタ３４と配線部品１１０とを接続する配線は、器具本体２１と電源ケース３６との間に挟まれることで該配線に負荷を与える可能性がある。そのため、配線は、器具本体２１の中央にある配線部品１１０から電源ケース３６を迂回して給電側コネクタ３４まで延びるように配置させるのが好ましい。このような状態を保持したまま光源ユニット１００を器具本体２１に取り付けることは、器具本体２１への光源ユニット１００の取付作業が煩雑となる可能性がある。
【００７３】
一方、本実施形態では、電源部３１の給電側コネクタ３４は、光源ユニット１００の径方向中央側に設けられている。このような構成は、給電側コネクタ３４が第１係合部２８と近接しないため、接続作業を行う空間を十分確保することができる。また、光源ユニット１００を仮吊り状態にした場合には、作業者からは給電側コネクタ３４の接続口の視認性がよい。また、配線部品１１０から径方向外側に延びる配線と対向する向きに給電側コネクタ３４の接続口が配置されるため、給電側コネクタ３４と配線部品１１０との接続作業がしやすい。また、給電側コネクタ３４と配線部品１１０とを接続する配線は、電源ケース３６を迂回させるように配置する必要がないため、器具本体２１への光源ユニット１００の取付作業がしやすくなり好ましい。これらより、給電側コネクタ３４は、光源ユニット１００の径方向外側に設けるよりも、光源ユニット１００の径方向中央側に設けるほうが、光源ユニット１００の取付作業や電気的接続作業がしやすく好ましい。
【００７４】
次に、図１０に示すように、作業者は、光源ユニット１００の係合されていない側を持ち上げて、光源ユニット１００を器具本体２１に対して略水平状態にする。本実施形態では、光源ユニット１００の電源部３１が、器具本体２１における第１係合部２８側に配置されている。このような構成は、光源ユニット１００を仮吊り状態としたときに、第１係合部２８を支点として光源ユニット１００を略水平位置まで押し上げて移動させるのに、支点近傍に電源部３１の荷重がかかるため作業者はより少ない力で持ち上げ、且つ、保持することができる。
それから、作業者は、光源ユニット１００を略水平状態に片手で保持したまま、１つの第２係合部３０の先端部３０ｅをもう一方の手の指にかけて、第２係合部３０の先端（具体的には、先端部３０ｅ及び第２湾曲部３０ｄ）を光源ユニット１００の外周縁よりも径方向外側になるように第２係合部３０を押し曲げて変形させる。光源ユニット１００の径方向外側まで移動させた第２湾曲部３０ｄを光源ユニット１００の外周側から移動させて、第２湾曲部３０ｄを係合孔１０１に照射面側から差し入れて、第２係合部３０と係合孔１０１とを係合させる（図１３参照）。他の第２係合部３０も同様に操作して、他の係合孔１０１と係合させる。これにより、図８、図１３に示すように、係合孔１０１の径方向内側に第２湾曲部３０ｄが差し入れられ、光源ユニット１００の周方向の位置を規制する。また、第２係合部３０の第１湾曲部３０ｃまたは基部３０ｂは、光源ユニット１００の外周縁（本実施形態では、保護カバー９１の外周縁部９４）よりも径方向外側に位置し、光源ユニット１００の径方向の位置を規制する。
【００７５】
本実施形態の光源ユニット１００は、第１係合部２８と、複数の第２係合部３０（本実施形態では、２つ）とを、それぞれ対応する係合孔１０１とに係合させて、器具本体２１に取り付けられる。このとき、光源ユニット１００の外周縁付近の照射面側の外面（具体的には、保護カバー９１の照射面側の外周縁部９４）は、第１係合部２８のフック部２８ｄと、第２係合部３０の第１湾曲部３０ｃにその一部が載置されて、器具本体２１における上下方向に対する所望の位置に保持される。また、第１係合部２８のフック部２８ｄと、第２係合部３０の第１湾曲部３０ｃまたは基部３０ｂによって、光源ユニット１００の径方向の位置が規制される。これにより、光源ユニット１００を、器具本体２１における径方向の所望の位置に保持することができる。このようにして、光源ユニット１００は、第１係合部２８及び第２係合部３０に係合された状態で、器具本体２１に取り付けられる。
なお、本実施形態の第２係合部３０は、弾性部材で作製されている。第２係合部３０は、外力を加えてその先端部３０ｅを光源ユニット１００の径方向外側まで移動させるとき、基部３０ｂが径方向外側に傾くように弾性変形することができる。第２係合部３０は、加えていた外力を解除すると、復元力によって基部３０ｂの傾きが当初の傾きに戻ろうとし、その先端部も径方向に対して元の位置まで戻ろうとする。これにより、第２係合部３０の第１湾曲部３０ｃまたは基部３０ｂは、光源ユニット１００の外周縁（光源カバー９０の外周縁部９４）を径方向内側に当接または押圧するように、器具本体２１における径方向の所定の位置まで移動することができる。第２係合部３０を弾性部材で構成することによって、容易に光源ユニット１００を器具本体２１における径方向の所望の位置まで誘導することができる。しかしながら、この構成は必須のものではなく、復元力以外のその他の方法で第２係合部３０の径方向における位置決めしてもよい。例えば、第２係合部３０を塑性変形させて所望の位置で保持してもよい。
【００７６】
また、光源ユニット１００を器具本体２１から取り外す場合は、まず作業者は、光源ユニット１００を片方の手で上方向に持ち上げるように支える。次に、例えば図１３に示す光源ユニット１００の係合孔１０１に係合された第２係合部３０の先端部３０ｅにもう片方の手の指をかける。先端部３０ｅを光源ユニット１００の外側斜め下方向（図１３において左下方向）に手で第２係合部３０を撓ませて、係合部１０１から第２湾曲部３０ｄを引き出して、第２係合部３０を係合孔１０１から外す。第２係合部３０の先端側を径方向外側に押し曲げることで、係合を解除することができる。こうして、図１３に示す第２係合部３０と係合孔１０１の係合状態が外れる。残りの第２係合部３０についても同様の操作を行う。
【００７７】
第２係合部３０と係合孔１０１の係合状態が外れると、光源ユニット１００は、第１係合部２８と係合孔１０１とにより図９に示すような仮吊り状態となる。作業者は、仮吊り状態の光源ユニット１００に対し、電源部３１の給電側コネクタ３４と配線部品１１０との接続を解除する。最後に、光源ユニット１００を把持しながら、第１係合部２８のフック部２８ｄから係合孔１０１の径方向外側端部を外すことで、係合を解除することができる。こうして、器具本体２１から光源ユニット１００を取り外すことができる。
【００７８】
次に、本発明に係る照明器具の第２実施形態について図１４〜図２４を用いて説明する。
なお、以下で説明する第２実施形態に係る照明器具１１Ａ（図１４参照）は、上述した器具本体２１、光源ユニット１００（電源部３１、放熱板６１、保護カバー９１）、第１係合部２８及び第２係合部３０の替わりに器具本体２１Ａ、光源ユニット１００Ａ（電源部１３１、放熱板１６１、保護カバー９１Ａ）、第１係合部１２８及び第２係合部１３０を用いたものであり、その他の構成は同じであるため、その他の構成については同一符号を付して、その説明は省略する。また、器具本体２１Ａ、放熱板１６１、保護カバー９１Ａの各部材において放熱板６１、保護カバー９１と同一の部分を有する場合には、同一符号を付して、その部分の説明は省略する。
【００７９】
電源部１３１は、光源部４１と電気的に接続され、放熱板１６１の取付面側の所定の位置に１つのユニット（１ユニット）として取り付けられるものである。具体的には、電源部１３１は、電源回路部１３２と、該電源回路部１３２を収容する電源ケース１３５と、とを有している。電源部１３１の一端側（下端側）は、ネジ部材により放熱板６１の取付面側に固定され、光源ユニット１００Ａが器具本体２１Ａに取り付けられた場合、電源部１３１の他端側（取付面側）は収容部２６内に収容される。
【００８０】
電源回路部１３２は、光源部４１が有するＬＥＤ素子４２に給電を行って、ＬＥＤ素子４２を点灯させるための電源回路である。電源回路部１３２は、一端が円弧状に形成された、平面視略Ｄ字形状に加工されたプリント配線基板である電源基板１３３上に複数の電源回路部品等の電子部品が実装された電源回路である。電源回路部１３２は、外部商用電源から供給される交流電流を所定の直流電流に変換し、変換後の電流を基板４３に実装された複数のＬＥＤ素子４２に供給するためのものである。電源回路部１３２（電源基板１３３）は、電源回路部品等の電子部品の実装面側を下側に向けた状態で配置される。電源基板１３３の実装面側（下面側）には、電源回路部品等の電子部品と、リモコン信号の受信部８１が配置されている。受信部８１は、受光素子８２とチャンネル切替スイッチ８３とを有している。すなわち、電源部１３１は、電源回路部品等の電子部品とリモコン信号を受信する受光素子８２が同一の基板に実装されて形成されている。また、電源部１３１は、電源回路部品等の電子部品とチャンネル切替スイッチ８３が同一の基板に実装されて形成されている。また、電源部１３１では、前記電源回路部品等の電子部品、受光素子８２、及びチャンネル切替スイッチ８３が電源基板１３３の一方の表面（下面）に実装されている。電源基板１３３には、放熱板６１の受光窓６３ｃ及び光源部４１の受光窓４３ｃに対向する位置に受信部８１の受光素子８２が配置されている。また、電源基板３３の一端部（円弧形状の端部の頂部）には、チャンネル切替スイッチ８３が配置されている。電源回路部１３２は、配線を介して給電側コネクタ（図示せず）が設けられている。給電側コネクタは、照明器具１１を天井等の取付面に取り付ける際、配線器具側のコネクタ（図示せず）に接続することで、電源回路部１３２は照明器具用の天井配線器具を介して外部商用電源と電気的に接続される。電源回路部１３２と光源部４１は配線（図示せず）によって後述する放熱板１６１の挿通孔６３ｂを介して電気的に接続されている。
【００８１】
電源ケース１３５は、樹脂素材で形成された照射面側が開放された扁平で有底容器状の部材である。本実施形態の電源ケース１３５は、取付部７１に対向する側が平坦で後述する放熱板１６１の周壁部１６４に対向する側が湾曲形状となっており、平面視略Ｄ字形状に形成される。電源ケース１３５は、下端から取付部７１側に向けて延出される電源取付部（図示せず）を有している。電源取付部はネジ部材を挿通するための複数の貫通孔を有している。電源ケース１３５は、ネジ部材により電源取付部の貫通孔と放熱板１６１のネジ固定部を固定して、電源ケース１３５を放熱板１６１の取付面側に取り付けることができる。電源ケース１３５は、チャンネル切替スイッチ８３が配置される側面視略長方形状のチャンネル切替スイッチ部１３８を有している。電源ケース１３５は、電気的絶縁性を有する部材である。
【００８２】
チャンネル切替スイッチ部１３８は、放熱板１６１の貫通孔１６４ａから露出される側面視略四角状の部分である。チャンネル切替スイッチ部１３８は、電源ケース１３５内に電源基板１３３が配置されたとき、チャンネル切替スイッチ８３が配置される部分である。チャンネル切替スイッチ部１３８は、チャンネル切替スイッチ８３の先端部を露出するための貫通孔１３８ａを有している。チャンネル切替スイッチ部１３８は、放熱板１６１の貫通孔１６４ａに組み合わされて、チャンネル切替スイッチ部１３８が放熱板１６１の周壁部１６４の側面に露出される。チャンネル切替スイッチ部１３８の露出部分は、貫通孔１３８ａに比して当該貫通孔１３８ａの周囲に四角形状の面を確保して、ユーザーが下方から視認し易いように形成されている。このように、チャンネル切替スイッチ部１３８が放熱板１６１の貫通孔１６４ａを介して照射面側に露出するため、チャンネル設定作業がしやすい。
なお、電源基板１３３は実装面に複数の電気部品が実装されているが、図１４等においては電源基板１３３の構成を明瞭に図示するために電気部品の一部の図示は省略した。また、本実施形態のチャンネル切替スイッチ部１３８は、本発明におけるチャンネル切替スイッチ部の一例である。チャンネル切替スイッチ部は、その形状や、電源ケース１３５に設けられる位置などを適宜変更してもよい。
【００８３】
放熱板１６１は、光源ユニット１００Ａの本体部分を構成するユニット本体である。放熱板１６１は、器具本体２１Ａの照射面側の少なくとも一部（例えば、収容部２６）を覆う平面視略円形状で有底容器状の部材である。放熱板１６１は、電源部１３１及び光源部４１から発生した熱を伝導して空気中に放熱する部材である。本実施形態では、放熱板１６１は、電源部１３１及び取付部７１を覆っている。放熱板１６１は、照射面側に光源部４１及び保護カバー９１等を保持するものである。放熱板１６１は、取付面側に電源部１３１等を保持するものである。放熱板１６１は、光源ユニット１００Ａを構成する部材の一つとして、器具本体２１Ａが有する収容部２６の照射面側に取り付けられる。放熱板１６１は、中央凸部６２、円環部６３、周壁部１６４及び延出部１６５を有し、単一の部材として一体的に形成されている。放熱板１６１は、光源部４１及び保護カバー９１等を保持可能な耐久性や強度と、電源部１３１及び光源部４１が発する熱を放熱させるための熱伝導性とを考慮し、鉄やアルミニウム、またはそれらの合金等の金属板を用いて形成されている。なお、放熱板１６１は、耐久性、強度及び放熱性が高い材料であれば、先述した金属材料に限らず、その他の合金材料や樹脂等の他の材料で形成することができる。
なお、本実施形態においては、中央凸部６２、円環部６３、周壁部１６４及び延出部１６５を放熱板１６１として一体的に形成しているが、特に限定するものではなく、上記各構成部材を各々組み付けて構成してもよい。
【００８４】
周壁部１６４は、円環部６３の外周縁から上方に行くに従って拡径されるテーパ状の部分である。周壁部１６４には、電源部１３１（電源ケース１３５）のチャンネル切替スイッチ部１３８を露出させるように組み合わせるための略長方形状の貫通孔１６４ａが設けられている（図１４参照）。貫通孔１６４ａは、チャンネル切替スイッチ部１３８の外形寸法に合わせて形成され、当該チャンネル切替スイッチ部１３８の外形寸法よりもやや大きい。
【００８５】
延出部１６５は、周壁部１６４の外周縁における径方向両端から径方向外側に延出される一対からなる部分である。一方の延出部１６５には、第１係合部１２８に係合される係合孔１６５ａが設けられている。係合孔１６５ａは、略四角形状の貫通孔である。他方の延出部１６５には、第２係合部１３０が係合される被係合部である係合孔１６５ｃが設けられている。係合孔１６５ｃは、略長方形状の貫通孔である。延出部１６５は、器具本体２１の鍔部２７の照射面側に当接して取り付けられる。
【００８６】
放熱板１６１は、光源ユニット１００Ａの一部として光源ユニット１００Ａに組み付けられる。放熱板１６１を有する光源ユニット１００Ａが平面視で収容部２６と重なるように器具本体２１Ａに取り付けられることで、放熱板１６１と収容部２６（底板部２４）により所定の空間が形成され、該空間に電源部１３１及び取付部７１を収容するための高さ及び幅が確保される。器具本体２１Ａ内においては、電源部１３１（電源ケース１３５）が取付部７１と隣り合うように配置される。
【００８７】
次に、器具本体２１Ａが有する第１係合部１２８及び第２係合部１３０について図１７、図１９を用いて説明する。
第１係合部１２８は、光源ユニット１００Ａの外周の一端部を器具本体２１Ａに係合して、仮止めするための仮止め用の金属製の板バネである。第１係合部１２８は、器具本体２１Ａの鍔部２７の内周縁部の照射面側に取り付けられる。第１係合部１２８には、光源ユニット１００Ａが有する被係合部である係合孔１６５ａが係合可能である。第１係合部１２８と係合孔１６５ａとは、器具本体２１Ａに対して光源ユニット１００Ａの一端を仮止めする仮止め機構を構成している。
【００８８】
図１９に示すように、第１係合部１２８は、固定部１２８ａと、フック部１２８ｂと、第１屈曲部１２８ｃと、第２屈曲部１２８ｄとを有している。固定部１２８ａは、略平板状に形成される。第１係合部１２８は、固定部１２８ａが器具本体２１の鍔部２７の内周縁部にかしめ固定されることで取り付けられる。なお、かしめ固定の代わりにネジ部材による固定であってもよい。図１７に示すように、フック部１２８ｂは、固定部１２８ａの一端部から下方に延設され、側面視略Ｊ字状に形成された板状の部分である。第１屈曲部１２８ｃは、フック部１２８ｂの先端部から径方向外側に延設され、先端側が下方に延びるように湾曲した板状の部分である。第２屈曲部１２８ｄは、第１屈曲部１２８ｃの先端部から延設され、上方に向けて凸状に湾曲した板状の部分である。第１係合部１２８は、光源ユニット１００が有する係合孔１６５ａに挿通するとともに係合孔１６５ａの径方向外側端部１６５ａ１がフック部１２８ｂに係止される（引っ掛かる）ことで光源ユニット１００の一端側（一方の延出部１６５側）を器具本体２１に仮止めすることができる。また、図１７、図１９に示すように、第１係合部１２８は、仮止め状態から光源ユニット１００Ａの他端側を持ち上げて水平状態にすることで、延出部１６５の外周縁部１６５ｂが第１屈曲部１２８ｃの復元力の抗するように係合され、当該外周縁部１６５ｂと外側端部１６５ａ１が第１屈曲部１２８ｃと鍔部２７との間に挟持され、光源ユニット１００の一端側（一方の延出部１６５側）を器具本体２１Ａに固定することができる。
【００８９】
第２係合部１３０は、光源ユニット１００Ａの他端側（他方の延出部１６５側）を器具本体２１に係合するための固定用の回動部材である。図１８、図２０から図２４に示すように、第２係合部１３０は、台座部１３０ａと、つまみ部１３０ｂと、軸部１３０ｃと、鉤状部１３０ｄとを有する。つまみ部１３０ｂは、台座部１３０ａの一方の平坦面に対して略垂直に延在するように設けられている。台座部１３０ａの他方の平坦面から略垂直に延在するように軸部１３０ｃが設けられる。さらに、軸部１３０ｃの先端部から側面方向に対称となるように互いに対向する２つの鉤状部１３０ｄが設けられている。軸部１３０ｃは、軸部１３０ｃの先端部から台座部１３０ａに向かって離間するように設けられている。第２係合部１３０は、２つの鉤状部１３０ｄを器具本体２１Ａ（鍔部２７）の貫通孔２７ｂに嵌合することで、鍔部２７の内周縁部の照射面側に取り付けられる（図１８、図２１参照）。
【００９０】
本実施形態の第２係合部１３０は、２つの鉤状部１３０ｄの外形が平面視で長方形状に設けられている。貫通孔２７ｂは、平面視で長方形状で、且つ、２つの鉤状部１３０ｄの外形よりも長手方向が短く設けられている。第２係合部１３０は、貫通孔２７ｂに対して２つの鉤状部１３０ｄの外形が沿うように照射面側から合わせ、取付面側に向かって押し込むことで軸部１３０ｃと鉤状部１３０ｄを貫通孔２７ｂに挿通することができる。このとき、台座部１３０ａ側の鉤状部１３０ｄの端部は、軸部１３０ｃに近づくように変位し、貫通孔２７ｂを通過した後、復元力によって元の位置まで戻る。このようにして、第２係合部１３０は、器具本体２１Ａに容易に取り付けることができる。
【００９１】
つまみ部１３０ｂは、図２２に示すように、側面視半楕円状で平面視長方形状であり、放熱板１６１（他方の延出部１６５）の係合孔１６５ｃに挿通することができる。第２係合部１３０は、つまみ部１３０ｂを指でつまみながら第２係合部１３０の中心軸Ｌを中心として回動することができる。図２３に示すように、つまみ部１３０ｂを９０度回動させて、平面視でつまみ部１３０ｂが放熱板１６１の係合孔１６５ｃと交差するように配置することで係合可能である。このとき、図２４に示すように、軸部１３０ｃ、鉤状部１３０ｄも同時に回動し、平面視で鍔部２７の貫通孔２７ｂと、軸部１３０ｃと鉤状部１３０ｄが交差するように配置される。これにより、図１８に示すように、第２係合部１３０は、光源ユニット１００Ａが有する係合孔１６５ｃに係合することで光源ユニット１００Ａの他端側（他方の延出部１６５側）を固定することができる。
【００９２】
図１４に示すように、保護カバー９１Ａは、保護カバー９１と同様に主に内周縁部９２、及び光源カバー部９３（第１レンズ部９５、平坦部９６、第２レンズ部９７）を有している。保護カバー９１Ａは、保護カバー９１の外周縁部９４を有していないことのみが保護カバー９１と異なる部分である。
【００９３】
次に、光源ユニット１００Ａを器具本体２１に取り付ける手順について、図１５から図２４を用いて説明する。
先ず、作業者は、天井面に取り付けられた器具本体２１に下方から光源ユニット１００Ａを取り付けるに際して、光源ユニット１００Ａが有する係合孔１６５ａに対して、係合孔１６５ａの取付面側（背面側）から第１係合部１２８の先端側（具体的には、第２屈曲部１２８ｄ側）を挿通して、係合孔１６５ａの径方向外側端部を第１係合部１２８のフック部１２８ｂに引掛ける。こうして、係合孔１６５ａを第１係合部１２８に係合して、光源ユニット１００Ａの一方の延出部１６５側を器具本体２１Ａに仮止めする（この状態を、仮止め状態という）。
なお、この場合、係合孔１６５ａを第１係合部１２８に係合した状態で、作業者が光源ユニット１００Ａを把持せずに器具本体２１の下方に吊下げることもできる（この状態を、仮吊り状態という）。
【００９４】
光源ユニット１００Ａを仮吊り状態にした場合、作業者は光源ユニット１００Ａを手で支えなくても光源ユニット１００Ａが安定して保持されるため、例えば、作業者は両手を使って配線器具側のコネクタ（図示せず）と給電側コネクタとの結線作業を行うことができる。このように光源ユニット１００Ａを仮吊り状態にすることで、作業者が一人で器具本体２１Ａへの光源ユニット１００Ａの取付作業、電気的接続作業、及び修理点検作業等を容易に行うことができる。
【００９５】
次に、作業者は、光源ユニット１００Ａの他端側（他方の延出部１６５側）を持ち上げて、光源ユニット１００Ａを器具本体２１に対して略水平状態にする。それから、作業者は、図２２に示すように、放熱板１６１（他方の延出部１６５）の係合孔１６５ｃに第２係合部１３０のつまみ部１３０ｂを挿通させる。次に、図２３に示すように、つまみ部１３０ｂを指でつまんで第２係合部１３０を９０度回動させることで、係合孔１６５ｃが第２係合部１３０に係合される。これにより、図１８に示すように、他方の延出部１６５を器具本体２１Ａに固定することができる。こうして、光源ユニット１００Ａは、第１係合部１２８及び第２係合部１３０に係合された状態で、器具本体２１Ａに取り付けられる。
【００９６】
また、光源ユニット１００Ａを器具本体２１Ａから取り外す場合は、例えば以下のようにすればよい。まず作業者は、つまみ部１３０ｂを指でつまんで、放熱板１６１の係合孔１６５ｃに係合する第２係合部１３０を９０度回動させる。次に、光源ユニット１００Ａの他方の延出部１６５側を下方に移動して、係合孔１６５ｃからつまみ部１３０ｂを抜き、光源ユニット１００Ａの他方の延出部１６５側の係合を解除する。
【００９７】
そして、第２係合部１３０と係合孔１６５ｃの係合状態が解除されると、光源ユニット１００Ａの一方の延出部１６５側は、第１係合部１２８と係合孔１６５ａとにより仮止め状態となっている。そして、作業者は、作業者は、仮吊り状態の光源ユニット１００Ａに対し、電源部１３１の給電側コネクタと配線部品との接続を解除する。最後に、光源ユニット１００Ａを把持しながら、第１係合部１２８から係合孔１０１を外すことで、光源ユニット１００Ａの一方の延出部１６５側の係合を解除する。こうして、器具本体２１から光源ユニット１００Ａを取り外すことができる。
【００９８】
次に、本発明に係る照明器具の第３実施形態について図２５から図３２を用いて説明する。
なお、以下で説明する照明器具１１Ｂ（図２５参照）は、上述した器具本体２１、光源ユニット１００（電源部３１、放熱板６１、保護カバー９１）、第１係合部２８及び第２係合部３０の替わりに器具本体２１Ｂ、光源ユニット１００Ｂ（電源部１３１、放熱板６１Ａ、保護カバー１９１）、第１係合部（係合孔２７ｃ）及び第２係合部（ラッチ機構部１２０）を設けたものであり、その他の構成は同じであるため、その他の構成については同一符号を付して、その説明は省略する。また、器具本体２１Ｂ、放熱板６１Ａ、保護カバー１９１の各部材において放熱板６１、保護カバー９１と同一の部分を有する場合には、同一符号を付して、その部分の説明は省略する。
【００９９】
放熱板６１Ａは、光源ユニット１００Ｂの本体部分を構成するユニット本体である。放熱板６１Ａは、器具本体２１の照射面側の少なくとも一部（例えば、収容部２６）を覆う円板状の部材である。放熱板６１Ａは、電源部１３１及び光源部４１から発生した熱を伝導して空気中に放熱する部材である。本実施形態では、放熱板６１Ａは、電源部１３１及び取付部７１を覆っている。放熱板６１Ａは、平面視における外形輪郭形状が略円形状である。放熱板６１Ａは、照射面側に光源部４１及び保護カバー１９１等を保持するものである。放熱板６１Ａは、取付面側に電源部１３１等を保持するものである。放熱板６１Ａは、光源ユニット１００Ｂを構成する部材の一つとして、器具本体２１Ｂが有する収容部２６の照射面側に取り付けられる。放熱板６１Ａは、中央凸部６２、円環部６３、外周縁部６４及び第１係合部であるスリット状の係合孔２７ｃに係合される被係合部６５を有し、単一の部材として一体的に形成されている。放熱板６１Ａは、光源部４１及び保護カバー１９１等を保持可能な耐久性や強度と、電源部１３１及び光源部４１が発する熱を放熱させるための熱伝導性とを考慮し、鉄やアルミニウム、またはそれらの合金等の金属板を用いて形成されている。なお、放熱板６１Ａは、耐久性、強度及び放熱性が高い材料であれば、先述した金属材料に限らず、その他の合金材料や樹脂等の他の材料で形成することができる。
なお、本実施形態においては、中央凸部６２、円環部６３、外周縁部６４及び被係合部６５を放熱板６１Ａとして一体的に形成しているが、特に限定するものではなく、上記各構成部材を各々組み付けて構成してもよい。
【０１００】
被係合部６５は、図２６に示すように、外周縁部６４の一端から延出される側面視四角形状の板状の部分である。被係合部６５は、テーパ部６５ａと、延出部６５ｂと、挿通部６５ｃとを有している。テーパ部６５ａは、外周縁部６４の一端から径方向外側に延出され、途中部から斜め下方に延出される板状の部分である。延出部６５ｂは、テーパ部６５ａの先端部から径方向外側に延出される平面視長方形状の板状の部分である。挿通部６５ｃは、延出部６５ｂの先端部から延設される側面視略Ｌ字形状の板状の部分である。挿通部６５ｃは、図３１に示すように、器具本体２１Ｂの鍔部２７の内周縁に設けられた第１係合部であるスリット状の係合孔２７ｃに挿通されて係合される。
【０１０１】
放熱板６１Ａは、光源ユニット１００Ｂの一部として光源ユニット１００Ｂに組み付けられる。放熱板６１Ａを有する光源ユニット１００Ｂが平面視で収容部２６と重なるように器具本体２１Ｂに取り付けられることで、放熱板６１Ａと収容部２６（底板部２４）により所定の空間が形成され、該空間に電源部１３１及び取付部７１を収容するための高さ及び幅が確保される。器具本体２１Ｂ内においては、電源部１３１（電源ケース１３５）が取付部７１と隣り合うように配置される。
【０１０２】
保護カバー１９１は、器具本体２１Ｂと透光性カバー５１との間において、光源部４１を覆う部材である。保護カバー１９１は、光拡散カバーとも呼ばれる。保護カバー１９１は、平面視において光源部４１に重なるように放熱板６１Ａに取り付けられる。保護カバー１９１は、透光性を有しており、例えば透光性を有する樹脂素材で形成されている。図２５に示すように、保護カバー１９１は、平面視において略円環状の部材であって、径方向中央部が開口された容器形状である。保護カバー１９１は、主に内周縁部９２、光源カバー部９３、円環状の外周縁部９４Ａ、及び周壁部９９を有している。保護カバー１９１における内周縁部９２、光源カバー部９３、及び外周縁部９４Ａは、放熱板６１Ａのうち被係合部６５を除く部分と略同じ形状及び大きさであり、放熱板６１Ａの光源取付部６３ａ及び外周縁部６４の照射面側をほぼ覆うことができる。保護カバー１９１は、光源取付部６３ａに取り付けられた光源部４１を覆うだけでなく、外周縁部６４及び外周縁部６４の径方向外側に回り込むように形成されている。これにより、光源部４１から出た光を外周縁部６４の径方向外側に回り込むように導光することができる。
【０１０３】
周壁部９９は、円環状の外周縁部９４Ａの外周縁から延設される部分である。周壁部９９は、テーパ部９９ａ、延出部９９ｂ、切欠き部９９ｃ、開口部９９ｄ及び第２係合部であるラッチ機構部１２０に係合される被係合部である係合孔９９ｅを有している（図２９９参照）。テーパ部９９ａは、外周縁部９４の外周縁から上方に行くに従って拡径されるテーパ状の部分である。延出部９９ｂは、テーパ部９９ａの上端から径方向外側に延出される平面視略円環状の部分である。切欠き部９９ｃは、テーパ部９９ａ及び延出部９９ｂにおける、被係合部６５に対応する位置に矩形状に切り欠いて形成された部分である。開口部９９ｄは、テーパ部９９ａにおける、電源部１３１のチャンネル切替スイッチ部１３８に対応する位置に開口形成され、当該チャンネル切替スイッチ部１３８を露出させるための略長方形状の貫通孔である。開口部９９ｄは、チャンネル切替スイッチ部１３８の外形寸法よりもやや大きい。係合孔９９ｅは、後述する第２係合部であるラッチ機構部１２０に係合される側面視略四角形状の貫通孔である。切欠き部９９ｃと係合孔９９ｅとは、保護カバー９１の直径方向における保護カバー９１の両端部に配置されている。
【０１０４】
器具本体２１Ｂは、底板部２４の外周縁部に第２係合部であるラッチ機構部１２０を有している。ラッチ機構部１２０は、保護カバー１９１の開口部９９ｄとともに光源ユニット１００Ｂの他端側（開口部９９ｄ側）を器具本体２１に固定又は固定解除する固定解除機構部を構成している。ラッチ機構部１２０は、図２５に示すように、ラッチ本体１２１と、ラッチ本体１２１を支持して底板部２４に固定される受座部１２２と、操作部１２３と、弾性部材（図示せず）と、を有している。ラッチ機構部１２０は、ラッチ本体１２１内に弾性部材が収容されて操作部１２３の基端部に当接するとともに、図３２に示すように、操作部１２３の先端部がラッチ本体１２１の開口から突出している。また、操作部１２３の基端部は、弾性部材により先端部側に押圧されても、ラッチ本体１２１の開口から所定長突出しないように規制されている。これにより、ラッチ機構部１２０は、操作部１２３の先端部が弾性力で元の位置に復元可能に構成される。操作部１２３の先端部は、上方に行くに従って径方向外側に拡がるテーパ面１２３ａを有している。
【０１０５】
次に、光源ユニット１００Ｂを器具本体２１Ｂに取り付ける手順について説明する。
先ず、作業者は、天井面に取り付けられた器具本体２１Ｂに下方から光源ユニット１００Ｂを取り付けるに際して、第１係合部である係合孔２７ｃに被係合部６５の挿通部６５ｃを挿通する。挿通部６５ｃの一部は、器具本体２１Ｂ（具体的には鍔部２７）の取付面側に露出する。すなわち、挿通部６５ｃを第１係合部である係合孔２７ｃに係合して、光源ユニット１００Ｂの一端側が器具本体２１Ｂに対して位置決めされる。器具本体２１Ｂに光源ユニット１００Ｂが取り付けられたとき、被係合部６５は、図３１に示すように挿通部６５ｃが器具本体２１Ｂの取付面側に当接しながら、係合孔２７ｃと係合する。
【０１０６】
次に、作業者は、光源ユニット１００Ｂを片手で支えながら、電源部１３１の給電側コネクタと配線部品とを接続させる。なお、この接続作業は、挿通部６５ｃを係合孔２７ｃに係合する作業の前に行ってもよい。次に、光源ユニット１００Ｂの他端側（係合されていない側）を持ち上げて、光源ユニット１００Ｂを器具本体２１Ｂに対して略水平状態にする。それから、作業者は、光源ユニット１００Ｂ（保護カバー１９１）の係合孔９９ｅを第２係合部であるラッチ機構部１２０に係合させる。ラッチ機構部１２０に係合孔９９ｅを係合させる際には、係合孔９９ｅの径方向外側端部が操作部１２３のテーパ面１２３ａに案内されるとともに、係合孔９９ｅの径方向外側端部により操作部１２３が弾性部材の復元力に抗して押圧されて径方向内側へ移動する。その後、係合孔９９ｅの径方向外側端部がテーパ面１２３ａを通過後、復元力により元の位置に戻ろうとする操作部１２３の先端側が係合孔９９ｅに係合することで固定される（図３２参照）。
【０１０７】
一方、器具本体２１Ｂから光源ユニット１００Ｂを取り外す場合、先ず、作業者は、第２係合部であるラッチ機構部１２０の操作部１２３を手で押圧することによって、操作部１２３に係合された係合孔９９ｅが操作部１２３から外れて、ラッチ機構部１２０と係合孔９９ｅの係合状態が解除される。次に、片手で光源ユニット１００Ｂを支えながら、配線部品と給電側コネクタとの接続を解除する。次に、光源ユニット１００Ｂの他端側（係合孔９９ｅ側）を下方に移動して、係合孔２７ｃに係合された放熱板６１Ａの被係合部６５（挿通部６５ｃ）を外して、器具本体２１Ｂから光源ユニット１００Ｂを取り外す。
【０１０８】
以上のように、本実施形態の照明器具１１、１１Ａ、１１Ｂでは、器具本体２１、２１Ａ、２１Ｂのそれぞれが複数の係合部を有し、光源ユニット１００，１００Ａ、１００Ｂのそれぞれが係合部に係合される複数の被係合部を有し、光源ユニット１００，１００Ａ、１００Ｂは、前記被係合部を前記係合部に係合することで器具本体２１、２１Ａ、２１Ｂのそれぞれに取り付けられる。これにより、光源ユニット１００，１００Ａ、１００Ｂを器具本体２１、２１Ａ、２１Ｂのそれぞれに容易に着脱可能な照明器具１１、１１Ａ、１１Ｂを提供することができる。これにより、光源ユニットを器具本体に取り付け及び取り外しの際の作業性を向上することができる。
【０１０９】
本実施形態の照明器具１１、１１Ａ、１１Ｂでは、器具本体２１、２１Ａ、２１Ｂに対して光源ユニット１００，１００Ａ、１００Ｂを容易に着脱可能であるため、適合畳数等に合わせて出力の異なる光源部４１の変更を簡単に行うことができる。
【０１１０】
本実施形態の照明器具１１、１１Ａ、１１Ｂでは、平面視において光源部４１に重なるように前記ユニット本体である放熱板６１、１６１、６１Ａに取り付けられる透光性の保護カバー９１、９１Ａ、１９１を有する。そのため、光源部４１であるＬＥＤ光源モジュール４４の表面を覆い、作業者が安全に器具本体２１、２１Ａ、２１Ｂに対し、光源ユニット１００、１００Ａ、１００Ｂの取付作業を行うことができる。また、保護カバー９１、９１Ａ、１９１により、ＬＥＤ素子４２のような指向性の強い光源を用いても、ＬＥＤ素子４２から出射された光を拡散して、照明器具１１、１１Ａ、１１Ｂの光の均整度を高めることができる。
【０１１１】
本実施形態の照明器具１１、１１Ａ、１１Ｂでは、係合部と、係合部と係合される被係合部の組合せを複数有する。係合部は、第１係合部２８、１２８、２７ｃと、異なる構造を有する第２係合部３０、１３０、１２０と、を有する。第２係合部３０、１３０、１２０は、器具本体２１、２１Ａ、２１Ｂから光源ユニット１００、１００Ａ．１００Ｂを取り外す際に、係合を解除するための操作される操作部である先端部３０ｅ、つまみ部１３０ｂ、テーパ面１２３ａを器具本体２１、２１Ａ、２１Ｂの照射面側に有する。そのため、係合を解除するための操作部が視認しやすく、器具本体２１、２１Ａ、２１Ｂから光源ユニット１００、１００Ａ．１００Ｂを取り外す作業がしやすい。
【０１１２】
本実施形態の照明器具１１、１１Ａでは、第１係合部２８、１２８と、それらに係合される被係合部１０１、１６５ａを有する。第１係合部２８、１２８と、被係合部１０１、１６５ａと、を組み合わせて係合することによって、器具本体２１、２１Ａに対して光源ユニット１００、１００Ａの一端を仮止めする仮止め機構を構成する。仮止め機構を有するため、作業者が一人で器具本体２１、２１Ａへの光源ユニット１００、１００Ａの取付作業、電気的接続作業、及び修理点検作業等を容易に行うことができる。
【符号の説明】
【０１１３】
１１、１１Ａ、１１Ｂ  照明器具
２１、２１Ａ、２１Ｂ  器具本体
２７ｃ    係合孔（第１係合部）
２８、１２８  第１係合部
３０、１３０  第２係合部
３０ｅ  先端部（操作部）
４１    光源部
４２    ＬＥＤ素子
４４    ＬＥＤ光源モジュール
６１、１６１、６１Ａ  放熱板（ユニット本体）
６５    被係合部
９１、９１Ａ、１９１  保護カバー（光拡散カバー）
９９ｅ    係合孔（被係合部）
１００、１００Ａ、１００Ｂ  光源ユニット
１０１、１６５ａ  係合孔（被係合部）
１２０    ラッチ機構部（第２係合部）
１２３ａ  テーパ面（操作部）
１３０ｂ  つまみ部（操作部）
１６５ｃ  係合孔（被係合部）
【図１】
2020035548.tif 000003
【図２】
2020035548.tif 000004
【図３】
2020035548.tif 000005
【図４】
2020035548.tif 000006
【図５】
2020035548.tif 000007
【図６】
2020035548.tif 000008
【図７】
2020035548.tif 000009
【図８】
2020035548.tif 000010
【図９】
2020035548.tif 000011
【図１０】
2020035548.tif 000012
【図１１】
2020035548.tif 000013
【図１２】
2020035548.tif 000014
【図１３】
2020035548.tif 000015
【図１４】
2020035548.tif 000016
【図１５】
2020035548.tif 000017
【図１６】
2020035548.tif 000018
【図１７】
2020035548.tif 000019
【図１８】
2020035548.tif 000020
【図１９】
2020035548.tif 000021
【図２０】
2020035548.tif 000022
【図２１】
2020035548.tif 000023
【図２２】
2020035548.tif 000024
【図２３】
2020035548.tif 000025
【図２４】
2020035548.tif 000026
【図２５】
2020035548.tif 000027
【図２６】
2020035548.tif 000028
【図２７】
2020035548.tif 000029
【図２８】
2020035548.tif 000030
【図２９】
2020035548.tif 000031
【図３０】
2020035548.tif 000032
【図３１】
2020035548.tif 000033
【図３２】
2020035548.tif 000034